(57)【要約】【課題】【解決手段】第１のテーブルに液晶シャッタアレイの各シャッタのうち、最低光量になる光量を１として各シャッタの光量と比率で記録する。この比率が１．５以内になるように発光素子の発光量などを調節する。第２のテーブルに、このプリンタの画像取得部で取得された第１の画像データ、および上記比率に応じて参照されるように第２の画像データを記録する。第１の画像データに応じて第１のテーブルを参照し、シャッタ素子番号ごとに光量を参照してから、画像データとその光量双方に応じて第２のテーブルを参照する。【選択図】  図９
2005014565.tif 000002
【特許請求の範囲】
【請求項１】
露光により潜像が形成され現像により該潜像が顕像化される記録媒体が装填される媒体装填室を有し該媒体装填室に装填された記録媒体上に画像データに応じた露光を行なうことにより該記録媒体上に潜像を形成し該潜像を現像することにより該記録媒体上に画像を記録するプリンタにおいて、
外部から画像データを取得する画像データ取得部と、
前記画像データ取得部により取得された第１の画像データを前記記録媒体への露光用の第２の画像データに変換するデータ変換部と、
発光素子と、該発光素子から発光された光を導く、前記記録媒体に沿って所定の主操作方向に延びる光ガイドと、該光ガイドの延びる主走査方向に配列され、該光ガイドによって導かれた光を該主走査方向に並んだ光点として記録媒体に照射する、前記第２の画像データに応じて開閉する複数のシャッタとを備えた画像露光部と、
前記光ガイドおよび前記複数のシャッタを一体的に前記主走査方向に交わる服走査方向に移動させる駆動部とを備え、
前記データ変換部は、前記光ガイドの、該光ガイドが延びる主走査方向の各位置と、前記発光素子から発せられ該光ガイドおよび前記複数のシャッタを経由して出力される光の光量とを対応付けた第１のテーブル、および変換前の第１の画像データの各データ値と、前記第１のテーブルに記録された各光量の双方と、変換後の第２の画像データのデータ値とを対応付けた第２のテーブルの双方を記憶しておくテーブル記憶部を備え、
該データ変換部は、前記画像データ取得部により取得された第１の画像データを第２の画像データに変換するにあたり、前記複数のシャッタそれぞれについて、前記第１のテーブルを参照してそのシャッタの主走査方向の位置から該位置の光量を求め、前記第２のテーブルを参照して前記第１の画像データのデータ値と、前記第１のテーブルを参照して求めた光量との双方から該第２の画像データを求めるものであることを特徴とするプリンタ。
【請求項２】
前記第１のテーブルは、前記各位置に対し、最低光量と最高光量との比率が１．５以内である光量の比率が対応付けられたものであることを特徴とする請求項１記載のプリンタ。
【請求項３】
前記発光素子は、レッド、グリーン、およびブルーのいずれかの色光を発する単色発光素子からなるものであり、
前記データ変換部は、各色ごとの第１のテーブルおよび第２のテーブルを参照して各色ごとの前記第１の画像データを各色ごとの第２の画像データに変換するものであることを特徴とする請求項１記載のプリンタ。
【発明の詳細な説明】
【０００１】
【発明の属する技術分野】
本発明は、露光により潜像が形成され現像によりその潜像が顕像化される記録媒体が装填される媒体装填室を有し、その媒体装填室に装填された記録媒体上画像データに応じた露光を行なうことによりその記録媒体上に潜像を形成しその潜像を現像することによりその記録媒体上に画像を記録するプリンタに関する。
【０００２】
【従来の技術】
プリンタの中には画像の記録を記録媒体上に行なうラインヘッドを備えたものがある。このラインヘッドを備えたプリンタでは、主走査方向と交わる副走査方向にラインヘッドが駆動されて全体の画像が記録される。
【０００３】
このようなラインヘッドの中には、発光素子が複数配列された発光素子アレイから発光された各光を感光材料に照射させ、画像データに応じた閃光を記録するものがある。
【０００４】
この感光材料に光を照射して潜像を記録するラインヘッドは、発光素子アレイの他、その発光素子アレイの各発光素子と対になる液晶シャッタアレイやレンズアレイを備えている。このように発光素子アレイ、液晶シャッタアレイ、レンズアレイを備えるラインヘッドの場合には、各発光素子ごとのばらつきを補正テーブルによって補正してから画像の記録が記録媒体に行なわれる。この補正テーブルの中には発光素子アレイの素子数分だけのデータが格納されるため、この補正テーブルが記録されるメモリの容量が大きくなる。
【０００５】
そこで、この発光素子アレイの各素子のばらつきを抑制するため、発光素子で発せられた光を光ガイドを用いて線状光に変換する技術が開示されている（例えば特許文献１参照）。
【０００６】
図１は、従来のプリンタ内部の制御構成を示す図である。
【０００７】
図１に示すようにこのプリンタは統括的にマイコン１Ａで制御され、記録メディア２Ａの中にある画像データに応じて液晶シャッタ３Ａのシャッタスピードを制御し、露光により記録媒体への潜像の記録が行なわれる。この潜像の記録は、スイッチ類４Ａの中のプリントスイッチの操作に応じて行なわれる。
【０００８】
このプリンタには、書き換え自在な不揮発性のＦＬＡＳＨメモリ５Ａが備えられており、このＦＬＡＳＨメモリ５Ａの中にルックアップテーブル（ＬＵＴが記録されている。図１に示すスイッチ類の中のプリントスイッチが操作されたら、記録メディアの中にある画像データをマイコンが読み出し、その読み出した画像データをルックアップテーブルによって第２の画像データに変換して液晶シャッタ３Ａのシャッタスピードを調節する。なおワーキング用としてＲＡＭ６Ａも配備されている。
【０００９】
図２はそのルックアップテーブルの構成を示す図である。
【００１０】
図２（ａ）には光学ヘッドの構成が、図２（ｂ）には発光素子から発せられた光が光ガイドを経由して液晶シャッタから出射される光量の特性が、図２（ｃ）にはその光量の特性が記録されたルックアップテーブルがそれぞれ示されている。なお、図２（ａ）には集光用のレンズアレイを省略した図が示されている。
【００１１】
図２（ａ）に示すように発光素子アレイに代えてライトガイド３Ａを使用しても、図２（ｂ）に示すようにライトガイドの伝送特性により光量にうねりが生じてしまう。このうねりを持つ光量を各シャッタ素子ごとにルックアップテーブル内に記録しておき、階調データに応じて感光材料に対する光量の補正が行なわれる。
【００１２】
そうすると、図２（ｃ）に示すように発光素子アレイを使用したときと同じ（４８０×２５６×３色分で３６８．６４Ｋｂｙｔｅ）容量が必要になる。
【００１３】
このように光ガイド３Ａを用いることによって発光素子のばらつきを抑制しようとしても、光ガイド３Ａの伝送特性にばらつきがあるため、ルックアップテーブルが記録されるテーブル記録部ここでぇあＦＬＡＳＨＭＥＭＯＲＹの容量を削減することができない。
【００１４】
【特許文献１】
特開２０００−２８０５２７号公報
【００１５】
【発明が解決しようとする課題】
本発明は、上記事情に鑑み、テーブル記憶部の容量が削減されたプリンタを提供することを目的とする。
【００１６】
【課題を解決するための手段】
上記目的を達成する本発明のプリンタは、露光により潜像が形成され現像により該潜像が顕像化される記録媒体が装填される媒体装填室を有し該媒体装填室に装填された記録媒体上に画像データに応じた露光を行なうことにより該記録媒体上に潜像を形成し該潜像を現像することにより該記録媒体上に画像を記録するプリンタにおいて、
外部から画像データを取得する画像データ取得部と、
上記画像データ取得部により取得された第１の画像データを上記記録媒体への露光用の第２の画像データに変換するデータ変換部と、
発光素子と、その発光素子から発光された光を導く、上記記録媒体に沿って所定の主走査方向に延びる光ガイドと、その光ガイドの延びる主走査方向に配列され、その光ガイドによって導かれた光を該主走査方向に並んだ光点として記録媒体に照射する、上記第２の画像データに応じて開閉する複数のシャッタとを備えた画像露光部と、
上記光ガイドおよび上記複数のシャッタを一体的に上記主走査方向に交わる服走査方向に移動させる駆動部とを備え、
上記データ変換部は、上記光ガイドの、その光ガイドが延びる主走査方向の各位置と、上記発光素子から発せられその光ガイドおよび上記複数のシャッタを経由して出力される光の光量とを対応付けた第１のテーブル、および変換前の第１の画像データの各データ値と、上記第１のテーブルに記録された各光量の双方と、変換後の第２の画像データのデータ値とを対応付けた第２のテーブルの双方を記憶しておくテーブル記憶部を備え、
そのデータ変換部は、上記画像データ取得部により取得された第１の画像データを第２の画像データに変換するにあたり、上記複数のシャッタそれぞれについて、上記第１のテーブルを参照してそのシャッタの主走査方向の位置からその位置の光量を求め、上記第２のテーブルを参照して上記第１の画像データのデータ値と、上記第１のテーブルを参照して求めた光量との双方からその第２の画像データを求めるものであることを特徴とする。
【００１７】
上記本発明のプリンタによれば、上記データ変換部によって、上記データ取得部によって取得された第１の画像データに応じて上記第１のテーブルが参照され、上記主走査方向の各位置に応じた光量と上記第１の画像データ双方に応じて第２の画像データが参照され、第１の画像データから第２の画像データへの変換が行なわれる。
【００１８】
そうすると、上記第１のテーブルについてはシャッタ数分、上記第２のテーブルについては第１の画像データに応じた階調数分のデータ数が上記テーブル記憶部にあれば足りる。
【００１９】
従来は、シャッタ数部（例えば４８０）と階調数分（例えば２５６）を乗算した数分（４８０×２５６ｂｙｔｅ分）の膨大な容量のテーブル記憶部が必要だったが、本発明によれば、上記第１のテーブルと上記第２のテーブルに分け、第１のテーブルにおいてはシャッタ数分（たとえｂ４８０ｂｙｔｅ）の光量を書き込める容量があれば良く、第２のテーブルにおいては第１の画像データに応じた会長数分（例えば２５６ｂｙｔｅ）と露光量の分割数分（たとえｂあ５０）を乗算した数分（２５６×５０ｂｙｔｅ）の容量があれば良い。このようにすると、今までの４８０×２５６ｂｙｔｅ＝１２２．８８０Ｋｂｙｔｅに対し、４８０ｂｙｔｅ＋２５６×５０ｂｙｔｅ、＝１３．０５６Ｋｂｙｔｅ分の容量があれば良くなり、上記テーブル記憶部の容量が削減される。
【００２０】
上記第１のテーブルは、上記各位置に対し、最低光量と最高光量との光が１．５以上である光量の比率が対応づけられたものであることが好ましい。
【００２１】
例えば第１の画像データが８ビット分つまり２５６の階調を持っていたとすると、その分解能は１／２５６になる。最低光量を基準にして光量を１にし、比率を例えば２にすると、その分解能は２・１／２５６になり、実質７ビットまで低下してしまう。
【００２２】
そこで、ここでは実質の分解能の低下が７．５ビットとなるように、１．５という数字を掲げている。この１．５以内であれば分解能の低下は７．５ビットまでに抑えられる。
【００２３】
さらに、１〜１．５までの比率を０．０１ごとに記録しても、高々５０のデータ数になり、いままでに比べ大幅にデータ数が削減される。
【００２４】
また、上記発光素子は、レッド、グリーン、およびブルーのいずれかの色光を発する単色発光素子からなるものであり、
前記データ変換部は、各色ごとの第１のテーブルおよび第２のテーブルを参照して各色ごとの前記第１の画像データを各色ごとの第２の画像データに変換するものであることが好ましい。
【００２５】
そうするとカラー画像を生成する場合においては、レッド、グリーン、およびブルーそれぞれに、第１のテーブル、第２のテーブルが必要になるが、それでもいままでに比べれば遥かにメモリ容量が削減される。
【００２６】
【発明の実施の形態】
図３は本発明の実施形態であるプリンタを、斜め前方から見た斜視図である。
【００２７】
このプリンタは携帯電話などと組み合わされて使用されるものであって、携帯電話から送信されてくる画像データをこのプリンタで受信してイン２スタントフィルム上に画像の記録を行なうものである。このインスタントフィルムが本発明にいう記録媒体に当たる。
【００２８】
最近の携帯電話にはＩｒＤＡ（Ｉｎｆｒａｒｅｄ  ＤＡＴＡ  Ａｓｓｏｃｉａｔｉｏｎ）に準拠した赤外線通信を行なえるものがあり、この赤外線通信を使用して自分の持つ情報を他の情報機器へ送信することができ、カメラ付き携帯電話であれば、画像データをこのプリンタに送信することもできる。
【００２９】
本発明のプリンタは、例えばカメラ付き携帯電話で撮影された画像を表わす画像データまたはメールなどで携帯電話に送信されてきた画像データが赤外線通信を用いてこのプリンタに送信されてきたときに、その画像データに基づいてインスタントフィルムシート上に画像の記録を行なうものであり、さらにプリントスイッチを操作することによってその記録された画像の再記録を別の記録媒体上に行なえるものである。
【００３０】
本実施形態のプリンタの構成を、図３を参照して説明する。
【００３１】
このプリンタ１は可搬型であって携帯電話とこのプリンタ双方を手に持って画像の記録を行なうことが可能な程度の小型かつ軽量の構造を有するものである。このプリンタ１の筐体１ａ内にインスタントフィルムパックが装填され、そのインスタントフィルムパック内の、積層された多数のインスタントフィルムシート一枚一枚に画像の記録が行なわれる。
【００３２】
プリンタ１の筐体１ａには、このプリンタ１の電源の投入および遮断を指示する電源スイッチ（以下電源ＳＷという）１１やプリントスイッチ（以下プリントＳＷという）１２やプリントデータ補正スイッチ（以下プリントデータ補正ＳＷという）１３が設けられている。また、中央には、ＬＣＤパネル１４が設けられており、このＬＣＤパネル１４上にインスタンフィルムシートの残り枚数やプリントデータ補正ＳＷ１３の内容が表示される。また、前述した赤外線通信により送信されてきた画像データを受信する受光素子１５が携帯電話をこのプリンタに対向させ易い位置、ここでは筐体１ａの端部に配備されている。なお、この図１には図示してはいないが、このプリンタ１はＵＳＢポートも持っている。
【００３３】
プリントデータ補正ＳＷ１３は、画像の濃淡（Ｄａｒｋ  ｏｒ  Ｌｉｇｈｔ）を調節するためのスイッチであり、このプリントデータ補正ＳＷ１３がＮｏｍａｌ状態にあるときには、送信されてきた画像データに基づく画像がそのままインスタントフィルムシート上に記録され、ＤＡＲＫ側に切り換えられるとその画像データに基づく画像の全体のトーンがやや暗くなった画像がインスタントフィルムシート上に記録され、ＬＩＧＨＴ側に切り換えられると全体のトーンがやや明るくなった画像がインスタントフィルムシート上に記録される。このプリントデータ補正ＳＷ１３が操作された後、プリントＳＷ１２が操作されると、同じ構図の写真でありながら異なった趣の写真が何枚も得られる。
【００３４】
このプリントＳＷが操作されると、後述する画像処理部によって画像データがオフセットされ、画像全体の濃度が調節される。
【００３５】
図４は後述する光学ヘッドによってそのインスタントフィルムシート上に潜像の記録が行なわれた後、そのインスタンフィルム１００１上の潜像が顕像化されながら、このプリンタの排出口からインスタントフィルムが排出されるときの状態を示す図である。
【００３６】
このプリンタでは、赤外線通信、またはＵＳＢ通信により外部から画像データが送信されてきてこのプリンタがその画像データを取得したら、その取得した画像データに基づく潜像の記録が露光によりインスタントフィルム上に行なわれ、図４に示すようにその潜像が記録されたインスタントフィルム１００１が排出されるときに顕像化され、プリンタ１外部へ排出される。その後でプリントＳＷ１２が操作されたときにも、その画像と同じ画像の再記録が別のインスタントフィルム上に行なわれ、図４に示すようにインスタントフィルム１００１が排出される。
【００３７】
図５は、このプリンタ１の下面を斜め後方から見た斜視図である。
【００３８】
このプリンタ１の下面側にはフィルムパック１００を装填するためのフィルムドア１０１ａが設けられており、このフィルムドア１０１ａが開けられ、フィルムパック１００が図６に示すようにフィルム装填室１００ａに装填される。このフィルム装填室が本発明にいう媒体装填室に当たる。
【００３９】
また、このプリンタ１の電源となる電池１０が装填される電池装填室１０ａもそのフィルム装填室１００ａの隣にある。この電池装填室１０ａにもドアが設けられており、そのドアが開けられ、電池１ｂが装填される。
【００４０】
フィルムドア側１０ａにはバネ部材１０１１ａ，１０１２ａが２つ設けられており、これらのバネ部材１０１１ａ，１０１２ａによってフィルムパック１００内に積層されたインスタントフィルムシートが図３の反対側にあるプリンタ１表面側に押されるようになっている。このような構成によってそのインスタントフィルムパック１００内のインスタントフィルムシートのうち、一番上にあるインスタントフィルムシート１００１が排出口１１ａに近い位置にまで押し上げられ、その位置に押し上げられたインスタントフィルムシート上に焦点のあった光点が露光により多数記録される。
【００４１】
また、新しいフィルムパック１００が装填されたときには排出口１１ａに近い部分に遮光シートが配設されるので、フィルムドア１０１ａが閉められたときにその遮光シートがプリンタ外部へ排出されて一番上にあるフィルムシート１００１が露光位置に配設される。
【００４２】
このようなプリンタ１の内部構成を説明する。
【００４３】
図６は、このプリンタ１の表面側のカバーを外してプリンタ内部を見た図である。
【００４４】
図６に示すように、プリンタ内部に装填されたインスタントフィルムパック１００内に積層されているインスタントフィルムシートのうち、一番上にあるフィルムシート１００１に対向する位置に光学ヘッド部１６が配設されている。
【００４５】
この光学ヘッド部１６の端部にはラック部材１６１が設けられており、そのラック部材１６１が、筐体１ａに支持されているリードスクリュー１６１ａのネジに弾性的に螺合している。また光学ヘッド部１６のラック部材１６１が設けられている側とは反対側にはガイド棒１６１１ａが設けられており、このガイド棒１６１１ａに光学ヘッド１６の端部が係合されている。このガイド棒１６１１ａによって光学ヘッド１６が平行に案内されながら、リードスクリュー１６１ａとラック部材１６１の螺合により光学ヘッド１６が移動する。
【００４６】
また図６に示すように光学ヘッド１６にはフラットケーブル１７０が接続されており、このフラットケーブル１７０を介して後述する印刷制御部から画像データに応じた制御信号が供給される。この制御信号は光学ヘッド１６内の後述する液晶シャッタアレイの各シャッタのシャッタスピードを制御するものであり、光学ヘッドに貼付された温度センサ１８０Ａで検出された温度に応じて各シャッタのシャッタスピードを制御するものである。この各液晶シャッタのシャッタスピードが画像データに応じて制御され、ＲＧＢそれぞれに対応する光がインスタントフィルム上に照射され、インスタントフィルムの幅方向に４８０個の光点（ドット）からなる潜像が記録される。以降の説明においてはこの幅方向つまり一次元的に各シャッタが配列されている方向を、主走査方向という。したがってこの各シャッタが主走査方向に電子的に走査されて１ライン分の４８０の光点がインスタントフィルムシート１００１上に記録される。この光学ヘッド１６の電子走査によってインスタントフィルム１００１の主走査方向に４８０ドットからなる光点が記録されたら、後述する印刷制御部からの制御信号に基づいてモータ１６２ａが駆動されてリードスクリュー１６１ａが所定の角度回転して、今度はその主走査方向と交わる方向に光学ヘッド１６によって４８０ドットづつ光点が順次記録されていく。以降の説明ではこの主走査方向と交わる方向を副走査方向という。この副走査方向には、光学ヘッドの１回の主走査で記録される光点４８０ドット分を１ラインとして６４０ラインの光点がインスタンフィルム全体に渡って記録される。
【００４７】
この光学ヘッド１６が画像露光部に当たり、その光学ヘッドを駆動するリードスクリュー１６１ａとモータ１６２ａと光学ヘッドの端部に固定されたヘッドキー１６１とが本発明にいうラインヘッド駆動部に当たる。
【００４８】
この光点の集まりによって画像を表わす潜像が記録されたら、展開ローラ１７によりインスタントフィルムシート１００１を挟み込んでインスタントフィルム内の現像剤をインスタントフィルムシート１００１全体に展開させ、潜像を顕像化させプリンタ外部へと送り出す。このインスタントフィルムシート１００１は自己現像処理型感光材料であり、インスタントフィルム１００１が展開ローラ１７で挟み込まれるとインスタントフィルム内に充填されていた現像剤がインスタントフィルムシート全体に均一に展開され、フィルムシート上の潜像が顕像化されるものである。このように光学ヘッドによってインスタントフィルム上に、所定の副走査方向に移動しながらその副走査方向に交わる主走査方向に並んだ光点を画像データに応じて照射することによりそのインスタントフィルム上に潜像が記録される。この展開モータ１７と展開ローラ１７ｂとが本発明にいう現像部に当たる。
【００４９】
ここで光学ヘッド１６の構成を、図７を参照して説明しておく。
【００５０】
図７は光学ヘッドの構成を示す模式図である。
【００５１】
この図５にはライトガイド１６４の端部に配設された発光素子１６３Ｒ，１６３Ｇ，１６３Ｂの配列順序と、インスタントフィルム上に光点となって照射されるＲ、Ｇ、Ｂの光の進行方向が矢印によって模式的に示されている。
【００５２】
図５に示すように、この光学ヘッド１６は光の３原色であるＲ，Ｇ，Ｂそれぞれの発光素子１６３Ｒ，１６３Ｇ，１６３Ｂと、ライトガイド１６４と、前述した液晶シャッタアレイ１６５と、セルフォックレンズ（登録商標）１６６とからなる。
【００５３】
図５に示すように、３原色の発光素子１６３Ｒ，１６３Ｇ，１６３Ｂそれぞれがライトガイド１６４の端部に配設されており、それらの発光素子で発光された光が順次そのライトガイド１６４によってインスタントフィルム１００１側に導かれる。このインスタントフィルムシート１００１側に導かれた光の進路がライトガイド１６４によって変更され、インスタントフィルムシート１００１上にレッド、グリーン、ブルーの順に照射される。このレッド、グリーン、ブルーの光が順次照射される度に各光が液晶シャッタアレイ１６５の各シャッタを通り、その先にあるセルフォックレンズ（登録商標）１６６を通ってインスタンフィルム１００１の同一点にまで達する。液晶シャッタアレイ１６５の各シャッタによってレッド、グリーン、ブルーの光量がそれぞれ調節された光が、セルフォックレンズ（登録商標）によってインスタントフィルム１００１上の一点に収束されて焦点のあった光点がインスタントフィルム１００１上に多数記録される。ここでは４８０素子の液晶シャッタアレイ１６５を用いて画像データに応じて各シャッタのシャッタスピードを制御することで画像データに応じた階調を持つ４８０の光点がインスタントフィルム１００１上に記録される。これが副走査方向にも６４０ライン分記録され、４８０×６４０の光点がインスタントフィルム上に潜像として記録される。この潜像は、Ｒ，Ｇ，Ｂの３色の光をレンズ１６６によって同一の光点に記録させたカラー画像を表わす潜像である。このライトガイド１６４と液晶シャッタアレイ１６５とセルフォックレンズ（登録商標）１６６とを備える光学ヘッドと、前述したモータ１６２ａとリードスクリュー１６１ａと光学ヘッドの端部に固定されたヘッドキーとで画像露光部が構成される。
【００５４】
図８は、この光学ヘッド１６やモータ１６２ａを駆動する制御部の構成ブロック図である。
【００５５】
図８に示すように、このＣＰＵ１８０にはこのプリンタ１の電源がオフされてもこのプリンタ１の制御を行なえるように、電池１ｂから電力が直接供給されている。他に電源部１８１と展開モータドライバ１７ａには電池１ｂから電力が直接供給されているが、電源部１８１、展開モータドライバ１７ａはＣＰＵ１８０からの指示がない限り動作しないので電力が消費されない。また、画像処理部１８２、モータ１６２１ａ、印刷処理部１８３、揮発性メモリであるＲＡＭ１８４、不揮発性メモリであるＦＬＡＳＨＭＥＭＯＲＹ１８５、画像処理部１８２内の外部ＩＦ１８２１への電力供給はＣＰＵ１８０により制御され、ＣＰＵの指示がない限り、各部には電力が供給されない。図８には電池から電力を供給する供給線が太線で示されている。なお、図８には点線で制御線と検出線もそれぞれ示してある。
【００５６】
このような構成にすることで、ＣＰＵ１８０と電源部１８１によって必要なところにのみに電力を供給することができ、電池１ｂの長寿命化が図られる。前述したようにこのプリンタ１の電池装填室１０ａに電池１ｂが装填されると、その電池１ｂで長期に渡ってこのプリンタが使用される。
【００５７】
また、ＣＰＵ１８０には図１に示した各種スイッチ１０が接続されており、これらの各種スイッチ１０の操作に応じて図８各部の制御を行なう。この各種スイッチのうち、電源ＳＷ１１が投入された後、赤外線通信またはＵＳＢ通信により画像データが外部から送られてきたときには、ＣＰＵ１８０によりこのプリンタ１の動作が制御され、インスタントフィルム上に画像の記録が行なわれる。また、その後でプリントＳＷ１２が操作されると、ＣＰＵ１８０によりこのプリンタ１の動作が制御され、同じ画像の再記録が別の記録媒体に行なわれる。さらにＣＰＵ１８０には、光学ヘッドの温度を検出する温度センサ１８０Ａと、光学ヘッドの記録開始位置を検出する原点センサ１８０Ｂと、光学ヘッドの終端位置を検出する終端センサ１８０Ｃからの検出信号が供給されている。ＣＰＵ１８０では温度センサ１８０Ａからの検出信号に応じて光学ヘッド１７内の各シャッタのシャッタスピードを印刷制御部１８３に制御させるとともに、光学ヘッド１７を副走査方向に移動させるときの移動開始位置と、終端位置とをそれぞれ原点センサと終端センサにより検出して、印刷制御部１８３にモータを制御させている。
【００５８】
ここで、電源ＳＷ１１が投入された後、外部から画像データが送信されてきたときに、ＣＰＵ１８０がどのような動作を各部に行わせるかを説明する。
【００５９】
赤外線通信により画像データが外部からこのプリンタ１に送られてきたときには、外部Ｉ／Ｆ１８２１を有する画像処理部１８２がその赤外線を受光素子１５によって受光したときにＣＰＵ１８０に対し受信有りの信号を出力する。ＣＰＵはこの信号を受けて画像処理部１８２に画像データの受信を行なわせ、その画像データを、バスを介してＲＡＭ１８４に記憶させる。このＣＰＵ１８０と画像処理部１８２とＲＡＭ１８４とが本発明にいう画像取得部に当たる。
【００６０】
ＣＰＵ１８０は，この画像取得部に外部からの画像データを取得させたら、そのＲＡＭ１８４に格納されている画像データを画像処理部１８２に読み出させ、その画像処理部１８２でプリントデータを生成させる。なお、このプリントデータとは画像処理部で適当な処理を施し、光学ヘッド１７の各シャッタのシャッタスピードを制御することができるようになったデータを指しており、上記画像取得部により取得された画像データとは異なる。以降の説明においては、双方のデータを区別するため、プリントデータに対し、上記画像取得部により取得され、ＲＡＭに格納された画像データをプリント前データと呼ぶ。このプリント前データが本発明にいう第１の画像データに当たり、プリントデータが本発明にいう第２の画像データに当たる。
【００６１】
ＣＰＵ１８０は、このプリントデータを画像処理部１８２に生成させたら、画像処理部１８２にそのプリントデータの転送を行なわせ、印刷制御部１８３に各シャッタのシャッタスピードの制御を行なわせる。そうすると、そのプリントデータに応じて、主走査方向に配列されている各シャッタの開口時間つまりシャッタスピードが制御され、各シャッタを通過するＲ，Ｇ，Ｂ３色の光量がそれぞれ調節され、各シャッタ位置に対応する光点が記録媒体に記録される。さらに印刷制御部１８３に、モータドライバ１６２１ａを制御させ、モータ１６２ａにより光学ヘッド１６を副走査方向に走査させ、その走査の度にプリントデータに応じて各シャッタのシャッタスピードを、印刷制御部１８３に制御させ、副走査方向の各光点の光量をそれぞれ調節させる。このようにしてすべての光点の光量を調節させ、それらの光点の集まりからなる画像を表わす潜像をインスタントフィルム上に記録させる。この印刷処理部１８３と光学ヘッド１７とモータ１６２ａとモータドライバ１６２１ａで画像露光部が構成される。
【００６２】
この画像露光部によってインスタントフィルム上に潜像を記録させた後、ＣＰＵ１８０は電源部の出力をオフさせ、展開モータドライバ１７ａにより展開モータ１７を駆動させる。
【００６３】
この展開モータ１７により展開ローラ１７ｂを回転させ、インスタントフィルムを挟み込ませながらプリンタ外部へ送り出すときに、現像液をインスタントフィルム全体に展開させ、潜像を顕像化させてインスタントフィルムをプリンタ外部へと排出させる。
【００６４】
以上が、電源ＳＷ１１により電源が投入された後、赤外線通信またはＵＳＢ通信により画像データが送られてきたときにＣＰＵ１８０が各部に行なわせる処理である。
【００６５】
次に、プリントＳＷ１２が操作されたときにＣＰＵ１８０が各部に行なわせる処理を説明する。
【００６６】
また、プリントＳＷ１２が操作されたときには、ＲＡＭ１８４内に格納されている画像データに基づく画像がインスタントフィルム上に潜像として記録され、一連の展開処理が行なわれる。
【００６７】
ここで、図９を参照してルックアップテーブルの構成を説明する。
【００６８】
図９（ａ）から図９（ｄ）には、従来との違いを明確にするため、図２（ａ）〜図２（ｃ）に対応させた図がそれぞれ示されている。本実施形態では第１のテーブル、第２のテーブルという２つのテーブルがあるので、図２（ｃ）に示す１つのルックアップテーブルに対し、図９（ｃ）、図９（ｄ）に示す２つのルックアップテーブルが対応する。
【００６９】
図９に示すように、第１のテーブルは、液晶シャッタアレイの４８０の各シャッタに対し、最低光量と最高光量との比率が１．５以内である光量の比率が対応付けられたものである。本発明にいう位置は、主走査方向に配列されている各シャッタの位置に当たり、ここでは素子番号に対応する。
【００７０】
この第１のテーブルのデータ数は、液晶シャッタのシャッタ数分４８０であり、この４８０ｂｙｔｅ分の第１のテーブルがレッド、グリーンおよびブルー各々に対し３つ用意されている。したがって、データ数は４８０ｂｙｔｅ×３で１．４４Ｋｂｙｔｅになる。この１．４４Ｋｂｙｔｅのデータが、テーブルになって、テーブル記憶部ここではＦＬＡＳＨＭＥＭＯＲＹに記録されている。
【００７１】
また、図９（ｄ）に示すように、第２のテーブルのデータ数は、階調データ数分、ここでは８ビットの階調なので２５６通りそれぞれに対し、５０個づつプリンタデータが記録されている。この第２のテーブルもＲ、Ｇ、Ｂに対応して３つ用意されている。したがって、データ数は３８．４Ｋｂｙｔｅになる。
【００７２】
第１のテーブル、第２のテーブルのデータ数を加えても、図２に示す３６８．６４Ｋｂｙｔｅより遥かに小さい３９．８４Ｋｂｙｔｅで済む。したがって、データ数が少なくなっているので、いままでに比べて容量の小さなＦＬＡＳＨＭＥＭＯＲＹに記録することができる。
【００７３】
ここで、図９（ｃ）、図９（ｄ）を参照して第１のテーブル、第２のテーブルの参照の仕方を説明しておく。
【００７４】
まず、画像取得部により取得されたプリント前データの階調が例えば３であったとする。その階調データ３に応じて各素子のプリントデータを作成する訳であるが、ここでは直接第２のテーブルを参照しない。ここでは例えばシャッタ素子番号６のシャッタスピードをプリント前データ３に応じて制御しようとするときには、第１のテーブルの素子番号６の光量を参照し、その後、その光量とプリント前データとに応じて参照される部分（ハッチング部分）に記録されているプリントデータが参照される。これを光ガイドが延びる主走査方向の各位置に配列された各シャッタごとに参照していけば、各シャッタを通過する光量の調節を適応的に行なえる。
【００７５】
なお、本実施形態のプリンタではカラー画像を記録しているが、白黒画像であっても良い。
【００７６】
【発明の効果】
以上、説明したように、本発明のプリンタによれば、テーブル記憶部の容量が削減されたプリンタを提供することができる。
【図面の簡単な説明】
【図１】従来のプリンタの制御構成を示す構成ブロック図である。
【図２】ルックアップテーブルの構成を示す図である。
【図３】本発明の実施形態であるプリンタを斜め上方から見た斜視図である。
【図４】プリンタ内部に装填されたインスタントフィルムがプリンタ外部に排出されるときの状態を示す図である。
【図５】本発明の実施形態であるプリンタの背面を斜め上方から見た斜視図である。
【図６】図１のプリンタの表面カバーを取り外し、前方斜め上方からそのプリンタ内部を見た図である。
【図７】図５に示した光学ヘッドの構成を示す模式図である。
【図８】プリンタ内部の制御構成を示す構成ブロック図である。
【図９】第１のテーブル、第２のテーブルの構成を示す図である。
【符号の説明】
１  プリンタ
１ａ  筐体
１０ａ  電池装填室
１ｂ  電池
１００ａ    フィルム装填室
１０１ａ    フィルムドア
１０１１ａ  １０１２ａ    バネ部材
１００    インスタントフィルムパック
１００１    インスタントフィルムシート
１０    各種スイッチ
１１    電源ＳＷ
１２    プリントＳＷ
１３    プリントデータ補正ＳＷ
１４    ＬＣＤパネル
１５    受光部
１６    光学ヘッド
１６１    ラック部材
１６１ａ    リードスクリュー
１６１１ａ    ガイド棒
１６２ａ    モータ
１６２１ａ    モータドライバ
１６３Ｒ  １６３Ｇ  １６３Ｂ    発光素子
１６４    ライトガイド
１６５    液晶シャッタアレイ
１６６    セルフォックレンズ（登録商標）
１７    展開モータ
１７ａ    展開モータドライバ
１７ｂ    展開ローラ
１８０    ＣＰＵ
１８０Ａ    温度センサ
１８０Ｂ    スタートセンサ
１８０Ｃ    エンドセンサ
１８１    電源部
１８２    画像処理部
１８２１    外部Ｉ／Ｆ
１８３    印刷処理部
１８４    ＲＡＭ
１８５    ＦＬＡＳＨＭＥＭＯＲＹ
【図１】
2005014565.tif 000003
【図２】
2005014565.tif 000004
【図３】
2005014565.tif 000005
【図４】
2005014565.tif 000006
【図５】
2005014565.tif 000007
【図６】
2005014565.tif 000008
【図７】
2005014565.tif 000009
【図８】
2005014565.tif 000010
【図９】
2005014565.tif 000011